(57)【要約】【課題】昼／夜間の区分なしに照明によって文字を認識することができ、照明領域が拡大し、均一化することができる車両用タッチ式ボタンを提供する。【解決手段】本発明は、タッチ式ボタンの外観を形成し、文字フォントにあたるパターンが形成された隠しカバーと、前記隠しカバーの後面に付着し、静電容量の変化によって信号を発生させる透明電極とを含み、前記透明電極の後方に配置される光源からの光を透過させることにより、前記文字フォントが認識可能に現出されるようにする車両用タッチ式ボタンであって、本発明によれば、昼／夜間の区分なしに照明によって文字を認識することができ、照明領域が拡大し、均一化することができる。【選択図】  図１０
2020132135.tif 000002
【特許請求の範囲】
【請求項１】
タッチ式ボタンの外観を形成し、文字フォントにあたるパターンが形成された隠しカバーと、
前記隠しカバーの後面に付着し、静電容量の変化によって信号を発生させる透明電極とを含み、
前記透明電極の後方に配置される光源からの光を透過させることにより、前記文字フォントが認識可能に現出されるようにすることを特徴とする車両用タッチ式ボタン。
【請求項２】
前記隠しカバーは、
前記文字フォントにあたる部分がカッティングされたブラックフィルムと、
前記ブラックフィルムと付着し、ＰＣベースにブラック調色剤および光拡散添加剤が添加されたスモーキーレジン射出物とを含むことを特徴とする請求項１に記載の車両用タッチ式ボタン。
【請求項３】
前記隠しカバーの厚さは、１〜３ｍｍであることを特徴とする請求項２に記載の車両用タッチ式ボタン。
【請求項４】
前記隠しカバーの透過率は、３０〜４５％であることを特徴とする請求項２に記載の車両用タッチ式ボタン。
【請求項５】
前記隠しカバーの濁度は、９０％以上であることを特徴とする請求項４に記載の車両用タッチ式ボタン。
【請求項６】
前記隠しカバーの明度（＊Ｌ）は、７０未満であることを特徴とする請求項４に記載の車両用タッチ式ボタン。
【請求項７】
前記透明電極の厚さは、１５０μｍ未満であることを特徴とする請求項２に記載の車両用タッチ式ボタン。
【請求項８】
前記透明電極の透過率は、８５％以上であることを特徴とする、請求項７に記載の車両用タッチ式ボタン。
【請求項９】
前記透明電極の濁度は、２％未満であることを特徴とする請求項８に記載の車両用タッチ式ボタン。
【請求項１０】
前記透明電極の黄色度（＊ｂ）は、２未満であることを特徴とする請求項８に記載の車両用タッチ式ボタン。
【請求項１１】
前記透明電極の面抵抗は、２００Ω未満であることを特徴とする請求項８に記載の車両用タッチ式ボタン。
【請求項１２】
前記透明電極に付着する光拡散フィルムをさらに含むことを特徴とする請求項２に記載の車両用タッチ式ボタン。
【請求項１３】
前記光拡散フィルムは、透過率８５％以上、濁度９０％以上であることを特徴とする請求項１２に記載の車両用タッチ式ボタン。
【請求項１４】
タッチ式ボタンの外観を形成し、文字フォントにあたる部分がカッティングされたブラックフィルムと、前記ブラックフィルムと付着し、ＰＣベースにブラック調色剤および光拡散添加剤が添加されたスモーキーレジン射出物とを含む隠しカバーと、
前記隠しカバーの後面に付着し、静電容量の変化によって信号を発生させる透明電極とを含み、
前記隠しカバーの透過率は、３０〜４５％であり、前記透明電極の透過率は、８５％以上であることを特徴とする車両用タッチ式ボタン。
【発明の詳細な説明】
【技術分野】
【０００１】
本発明は、車両用タッチ式ボタンに係り、より詳しくは、車両の電子機器または空調装置などの操作のための車両用タッチ式ボタンに関する。
【背景技術】
【０００２】
車両にはＡＶＮ（Ａｕｄｉｏ、Ｖｉｄｅｏ、Ｎａｖｉｇａｔｉｏｎ）などの電子機器や空調装置などの操作のためのボタンが備えられ、このボタンにはボタンの機能が分かるようにする文字が現出できるようにＬＥＤなどを含む照明装置が装着される。
従来の機械式ボタンは、ＬＥＤから出る光がボタン機構物の空き空間を通して伝達され、ボタンの表面をくぐり出るようにしながらも、Ｐｕｓｈ−Ｐｕｌｌ方式の機械式接点を利用して、人が手で押した時、電気が通ってスイッチ作動可能に構成された。
ＬＥＤから出た光は、一般的に光透過性プラスチック材質（主にポリカーボネート、ＰＣ）から構成され、可視光透過率（５〜１８％）を有するボタンを透過して出られるように構成される。
そして、このような機械式の代わりに、タッチ用電極は、導電性を有する材質で作られ、人の手が近づけば、初期の静電容量（Ｃａｐａｃｉｔａｎｃｅ）に比べた信号の変化を検知してＯＮ、ＯＦＦを認識する装置であり、タッチ用電極は、電気伝導度が高い材質であるほど、より大きい静電容量を設けることができて優れている。
【０００３】
最近は、高画質のディスプレイ装置にタッチ機能を付与するために、透明な電極を蒸着工程などにより精密化したりする。
タッチ用電極には、主に、銀（Ａｇ）ナノワイヤ、銀メタルメッシュ、銅、導電性高分子、インジウムスズ酸化物などが使用され、自動車のボタン照明の特性は、光透過性プラスチック材質の透過率によって性能が左右されるが、照明の品質は明るさが高くかつ均一な明るさ分布を示すほど良い。
図１に示す通り、大韓民国登録特許第１０−１８０４６３６号のようなタッチ式ボタンの場合、タッチフィルムの下部に位置したＬＥＤの光がタッチボタンの外に出るためには、タッチフィルムの中央部が開けられている形態にならなければならず、よって、図２のようなボタンカバーの形態を有する。
すなわち、ＰＣにホワイト調色剤が添加されて射出製作されるホワイトレジンに表面ブラック塗装後、文字フォントにあたる表面部分をレーザカッティングした形態でボタンカバーを製作し、ボタンカバーの後面にタッチパネルを形成させた。
【０００４】
そのため、このような従来の方式によれば、図３Ａのように昼間に照明がＯＦＦになった場合には、白色のスイッチフォント文字が見えるようにし、夜間にのみ、図３Ｂのように照明が点灯するようになっている。
しかし、このような従来の方式は、昼間にはホワイト調色剤によってフォントが白色によく現れるが、調色剤によってＬＥＤ光が遮られて透過率が低下するという欠点がある。
また、図４および図５に示す通り、真ん中の穴の打抜かれた部分が、ＬＥＤ光の透過する領域になり、周りを囲んでいる部分が銅でタッチ電極が形成された領域になるので、穴開けによって導体の面積が減少してタッチ感度が微弱になるしかないという限界を有する。
そして、穴開けした部分を通してＬＥＤ照明が出るため、照明領域が制限されてしまう。
【０００５】
すなわち、車両に使用される文字は「Ａ／Ｃ」などのようにフォントの長さが短いものもあるが、「ＴＲＡＣＫ」のようにフォントが長い場合には、穴を大きく打抜きにくくて照明領域がより小くなるという欠点がある。そのように照明領域が小くなると、フォントでの照明の均一度が低下し、よって、フォントの大きさなどデザイン的な制限も伴う。
よりさらに、図６Ａおよび図６Ｂから分かるように、穴を穿孔することから、高温高湿条件で１６８時間放置した場合、銅の露出した断面部に腐食が現れ、これはタッチ信号の低下および品質の問題をもたらすことがある。
また、図７Ａおよびこれを拡大した図７Ｂから分かるように、ＦＰＣＢの製造時、接着剤で積層して作る構造であることから、真ん中に穴を打抜く場合には、埃などの異物が断面部の接着剤がある層で付着することが分かる。これはＬＥＤバックライト照明の品質低下をもたらすことがある。
以上の背景技術に記載の事項は発明の背景に対する理解のためのものであって、この技術の属する分野における通常の知識を有する者にすでに知られた従来技術ではない事項を含む。
【先行技術文献】
【特許文献】
【０００６】
【特許文献１】特開２００８−１９２４６７号公報
【発明の概要】
【発明が解決しようとする課題】
【０００７】
本発明が目的とするところは、昼／夜間の区分なしに照明によって文字を認識することができ、照明領域が拡大し、均一化することができる車両用タッチ式ボタンを提供することである。
【課題を解決するための手段】
【０００８】
本発明の車両用タッチ式ボタンは、タッチ式ボタンの外観を形成し、文字フォントにあたるパターンが形成された隠しカバーと、前記隠しカバーの後面に付着し、静電容量の変化によって信号を発生させる透明電極とを含み、前記透明電極の後方に配置される光源からの光を透過させることにより、前記文字フォントが認識可能に現出されるようにすることを特徴とする。
【０００９】
前記隠しカバーは、前記文字フォントにあたる部分がカッティングされたブラックフィルムと、前記ブラックフィルムと付着し、ＰＣベースにブラック調色剤および光拡散添加剤が添加されたスモーキーレジン射出物とを含むことを特徴とする。
【００１０】
前記隠しカバーの厚さは、１〜３ｍｍであり、カバーの透過率は、３０〜４５％であり、濁度は、９０％以上であり、明度（＊Ｌ）は、７０未満であることを特徴とする。
【００１１】
前記透明電極の厚さは、１５０μｍ未満であり、透過率は、８５％以上であり、濁度は、２％未満であり、黄色度（＊ｂ）は、２未満であり、面抵抗は、２００Ω未満であり、前記透明電極に付着する光拡散フィルムをさらに含んでもよく、前記光拡散フィルムは、透過率８５％以上、濁度９０％以上であることを特徴とする。
【００１２】
また、本発明の他の態様に係る車両用タッチ式ボタンは、タッチ式ボタンの外観を形成し、文字フォントにあたる部分がカッティングされたブラックフィルムと、前記ブラックフィルムと付着し、ＰＣベースにブラック調色剤および光拡散添加剤が添加されたスモーキーレジン射出物とを含む隠しカバーと、前記隠しカバーの後面に付着し、静電容量の変化によって信号を発生させる透明電極とを含み、前記隠しカバーの透過率は、３０〜４５％であり、前記透明電極の透過率は、８５％以上であることを特徴とする。
【発明の効果】
【００１３】
従来は、昼間にボタンのフォントが白色に見え、夜間にのみ照明が点灯する方式であったため、夜間照明の明るさが明るすぎると、眩しさとグレアが発生し、夜間照明の明るさは低くなければならなかった。
しかし、本発明の車両用タッチ式ボタンによれば、始動をかける前はフォントが見えない隠し（ｈｉｄｄｅｎ）機能を実現し、始動をかけた瞬間、フォントが照明に入ってくるため、昼／夜間とも照明でフォントを実現し、高い明るさ性能が発揮できる。
また、透明電極としてのＩＴＯタッチフィルムが隠しカバーの後面に直接付着することで、高い光透過性により照明領域を広げることができ、均一な照明を実現することにより、フォントの大きさを多様化することができる。
そして、導体の面積が大きくなるため、タッチ感度が２倍以上向上するという利点がある。
【図面の簡単な説明】
【００１４】
【図１】従来の車両用ボタンの方式と問題点を示す図である。
【図２】従来の車両用ボタンの方式と問題点を示す図である。
【図３】Ａ及びＢは従来の車両用ボタンの方式と問題点を示す図である。
【図４】従来の車両用ボタンの方式と問題点を示す図である。
【図５】従来の車両用ボタンの方式と問題点を示す図である。
【図６】Ａ及びＢは従来の車両用ボタンの方式と問題点を示す図である。
【図７】Ａ及びＢは従来の車両用ボタンの方式と問題点を示す図である。
【図８】本発明の車両用タッチ式ボタンの作動方式を示す図である。
【図９】Ａ及びＢは図８の方式で実現される本発明の車両用タッチ式ボタンの結果を例示する図である。
【図１０】本発明の車両用タッチ式ボタンを概略的に示す図である。
【図１１】本発明の車両用タッチ式ボタンの一構成を示す図である。
【図１２】本発明の車両用タッチ式ボタンの一構成を示す図である。
【図１３】本発明の車両用タッチ式ボタンの評価方法を示す図である。
【図１４】本発明の車両用タッチ式ボタンの隠しカバーの組成を示す図である。
【図１５】Ａ乃至Ｄは本発明の車両用タッチ式ボタンの透過率による実現例を示す図である。
【図１６】Ａ及びＢはタッチフィルムの適用による照明の差を比較した図である。
【図１７】本発明の他の実施形態による車両用タッチ式ボタンを概略的に示す図である。
【発明を実施するための形態】
【００１５】
図８は、本発明の車両用タッチ式ボタンの作動方式を示す図であり、図９は、図８の方式で実現される本発明の車両用タッチ式ボタンの結果を例示する図である。
そして、図１０は、本発明の車両用タッチ式ボタンを概略的に示す図であり、図１１および図１２は、本発明の車両用タッチ式ボタンの一構成をそれぞれ示す図である。
以下、図８〜図１２を参照して、本発明の一実施形態に係る車両用タッチ式ボタンを説明する。
【００１６】
従来の車両用タッチ式ボタンは、昼間にはボタンのフォントが白色に見え、夜間にのみ照明が点灯する単純な方式であり、これによれば、夜間照明の明るさは低くなければならない。明るい場合には、眩しさとグレアが発生するからである。したがって、高い明るさを要求しない。
これに対し、本発明は、図８のように、始動ＯＦＦおよび照明ＯＦＦの状態では、図９Ａのように文字フォントが見えないように（隠し、ｈｉｄｄｅｎ）実現し、始動がＯＮになると、昼／夜間の区分なしに、図９Ｂのように照明がＯＮになって照明によって文字フォントが現出されるようにし、よって、高い明るさが必要である。
そのための、本発明の車両用タッチ式ボタンは、図１０のように、隠しカバー１０と、ＩＴＯタッチフィルム２０を例とした透明電極とを含む。そして、隠しカバー１０とＩＴＯタッチフィルムとの間には、ＯＣＡ（Ｏｐｔｉｃａｌ  ｃｌｅａｒ  ａｄｈｅｓｉｖｅ）のような透明接着剤が介在してもよい。
【００１７】
隠しカバー１０は、外部に露出して使用者がタッチできるようにするボタンの外観に相当し、透明電極が隠しカバー１０の後面に付着してこれに連結されるＰＣＢ（図示せず）を介して静電容量の変化量が伝達されるようにしてタッチ入力を認識させる。
これらの隠しカバー１０と透明電極は、ＬＥＤ３０からの光を透過させることにより、隠しカバー１０にパターンされた文字フォントが周辺より明るく光って使用者が認識できるようにする。
図１１に示す通り、隠しカバー１０は、ＩＭＬフィルム１１と、スモーキーレジン射出物１２とから構成される。
隠しカバー１０は、ブラックフィルムを文字フォントに合わせてレーザカッティング、インモールドラベル（ＩＭＬ）工法でＰＣ、ブラック調色剤、光拡散添加剤の組成のスモーキーレジン射出物に付着して製造される。
【００１８】
このように構成されることで、照明がない状態で文字フォントは現れず、透明電極の高い光透過性によって照明領域を広げることができ、図１２のように導体の面積が大きくなってタッチ感度が２倍以上向上できる。
このような本発明の隠しカバー１０および透明電極の条件をまとめると表１の通りであり、透明電極は、ＩＴＯタッチフィルム２０を例に挙げた。
【表１】
2020132135.tif 000003
まず、隠しカバー１０の厚さは、１〜３ｍｍであることが好ましい。
これを外れて、隠しカバー１０の厚さが１ｍｍ未満では、環境耐久（高温）後にカバーの撓みが発生し、３ｍｍを超える場合には、電極と人の手との間の距離が増加してタッチ性能が低下しうるからである。
そして、このような厚さ範囲内で３０〜４５％の透過率を有しなければならない。
【００１９】
隠しカバー１０の透過率が３０％未満の場合には、ＬＥＤの光の透過性が低下して照明の明るさ性能が低下し、透過率が４５％を超える場合には、照明ＯＦＦ時にもフォントが肉眼で認知されて隠し特性が低下し、ＬＥＤ照明の直進性によって照明が点光源で明るく見えるＨｏｔ  Ｓｐｏｔ現象が発生して照明の均一度を低下させる。
透過率によって明度が決定されるが、明度が７０を超える場合には、同じくフォントが肉眼で認知されて隠し特性が低下する。
そして、濁度は９０％未満でＬＥＤの光拡散がうまくいかず、照明の均一度が低下する問題がある。
【００２０】
次に、ＩＴＯタッチフィルム２０は、総厚さが１５０μｍを超えてはならない。
１５０μｍを超えると、屈曲による耐久特性が低下する。
そして、タッチフィルムの透過率は、国際規格ＪＩＳ−Ｋ−７３６１によって８５％以上でなければならず、濁度は、ＪＩＳ−Ｋ−７１３６によって２％未満でなければならない。
万一、透過率が８５％未満の場合には、ＬＥＤ光の光損失が大きくなって照明の明るさが低下し、濁度が２％以上の場合には、ＬＥＤ光の光散乱によって照明の明るさが低下する。
また、黄色度＊ｂは、ＪＩＳ−Ｚ−８７２２によって２未満でなければならない。
万一、黄色度が２以上の場合には、フィルムの黄変によってＬＥＤ照明色の色座標が移動して照明の色相が変化することがある。
【００２１】
そして、面抵抗は、２００Ω未満であることが好ましいが、面抵抗が２００Ω以上の場合には、タッチ性能が低下しうるからである。
以上のような隠しカバーの厚さ、明度、濁度、透過率、およびＩＴＯタッチフィルムの厚さ、透過率、濁度、黄色度、面抵抗を満足する場合に、照明ＯＦＦ時、隠し機能が実現され、照明ＯＮ時、光が明るくて均一化することができ、それによって、本発明が目的とする性能が実現可能である。
図１３は、このような本発明の車両用タッチ式ボタン１を通して出る照明を２次元結像型輝度測定計で評価する方法を概略的に示すものであり、照明の光均一度は、６０％以上でなければならない。
そして、昼間に使用可能となるように明るさは測定機器のレンズからボタン１までの距離が３０ｃｍで４００ｃｄ／ｍ２以上ではなければならない。
本発明は、このような条件の隠しカバー１０と、ＩＴＯタッチフィルム２０とを含むことにより、使用者の操作によるタッチ入力信号を制御部（図示せず）に伝達させるボタンとして機能する。
【００２２】
すなわち、隠しカバー１０は、プラスチック絶縁体であり、ＩＴＯ材質のタッチフィルム２０は、電極になる。基本的に、電極には一定の値の静電容量を有している状態で人の手が接触した時、静電容量の変化によってタッチ信号が検知される。
ＩＴＯは、従来のＦＰＣＢに比べて電極の面積が大きいため、静電容量が大きくてタッチ感度に優れる。
そして、隠しカバー１０は、照明がない場合にフォントが現れないようにするためのものであって、隠しカバーは、図１４に示すように、ベース材質のＰＣにブラック調色剤とＳｉＯｘ光拡散剤が添加剤として含まれている。隠しカバーは、ブラック調色剤の含有量調節により透過率を調節することができる。ブラック調色剤は、ＬＥＤの光透過を防止するからである。
そのため、図１５Ａ〜図１５Ｄに示すように、隠し特性は、隠しカバーの適切な透過率範囲で実現可能になる。下地に表示されたものが照明ＯＦＦの状態であり、右側上端に表示されたものが照明ＯＮの状態を示すものである。
【００２３】
すなわち、図１５Ａは、透過率が８％の場合であって、照明性能が低下（明るさ不足）することが分かり、図１５Ｂは、透過率が３０％で本発明の範囲に相当する場合であって、文字やグラフィックが隠蔽され、照明の明るさおよび均一度を満足することが分かる。
そして、図１５Ｃは、透過率が５１％であって、文字およびグラフィックが隠蔽されず、図１５Ｄは、透過率が７３％の場合として、文字およびグラフィックが隠蔽されず、照明にＨｏｔ  Ｓｐｏｔが発生することが分かる。
また、ＬＥＤの光が直進性を有するため、光拡散剤が添加されるが、これを調節することにより、隠しカバーの最適な透過率範囲と、濁度範囲および明度値を導出した。
【００２４】
一方、同じ隠しカバーを適用しても、タッチフィルムの種類によって照明の特性は異なる。図１６Ａは、従来のＦＰＣＢタイプのタッチスイッチを用いた場合であるが、穿孔した穴を通して直進するＬＥＤ光のため照明の不均一な現象が発生する。反面、図１６Ｂのように、本発明のＩＴＯタッチフィルムを用いた場合には、ＩＴＯの透明な広い面積を通してもフィルムを通した光の拡散／散乱が起こり、これによる光拡散効果で照明の均一度が向上する効果がある。
以上で説明した本発明の隠しカバーおよび電極の特性範囲による実験結果による特性を、比較例とともに次の表にまとめた。表２は、実施例および比較例を示したものであり、表３は、実験結果を示したものである。
【００２５】
【表２】
2020132135.tif 000004
【表３】
2020132135.tif 000005
【００２６】
表にまとめられたように、比較例１、２の場合、ホワイト調色剤によって昼間にフォントが肉眼で認知されて隠しの実現が不可能であることが分かる。
そして、カバーをスモーキーレジンを用いた場合でも、比較例３のように厚さが薄くなると、透過率も増加し、ＬＥＤの直進性の強い光がレジンの内部でうまく拡散せずに照明がスポット形態で出てしまって照明の均一度が低下する。
逆に、比較例４のようにカバーの厚さが一定以上増加すると、透過率が低下して照明輝度が低下する。
そして、比較例５、６から分かるように、カバーの透過率が基準より低い場合には、照明輝度が低下し、基準より高い場合には、照明輝度が向上する代わりに、照明の均一度が低下する。
また、比較例７のようにカバーの濁度が一定以下と低い場合には、照明の均一度が低下し、比較例８のようにカバーの明度が一定以上高い場合には、フォントが肉眼で認知される水準で隠しの実現が難しく、ホワイト調色剤の添加によって透過率がやや低下して照明輝度が低下する。
【００２７】
次に、電極の材質がＦＰＣＢの場合には、比較例９のようにいくらスモーキーレジンおよび最適な構造を有しても、輝度が不足し、均一度が低下する問題がある。
そして、比較例１０のように電極の厚さが一定以上厚い場合、ＩＴＯが蒸着されたフィルムの屈曲性評価の際、ＩＴＯ層の微細クラックによる面抵抗の低下が発生する。したがって、タッチ性能が低下する問題がある。
比較例１１の場合、電極の透過率が一定以下と低くてＬＥＤの光の透過性が低下して照明輝度が低下し、比較例１２の場合、電極の濁度が一定以上高くて透過率がやや低下し、照明輝度の低下が発生する。
また、比較例１３のように電極の黄色度が高い場合、ＬＥＤ照明の透過時に光の吸収などの光特性が変化して照明の色相が変化し、比較例１４のように電極の面抵抗が一定以上高い場合には、静電容量の低下によりタッチ性能が低下する。
【００２８】
次に、図１７は、本発明の他の実施形態に係る車両用タッチ式ボタンを概略的に示す図である。
図１７のように、本発明の他の実施形態は、光拡散フィルム４０を追加することで、光特性をより向上させることができる。ＩＴＯタッチフィルム２０に付着する光拡散フィルム４０は、透過率が８５％以上、ヘイズ（濁度）が９０％以上であることが好ましい。
すなわち、透過率がこれより低い場合には、ＬＥＤ照明の明るさが低下し、ヘイズが低い場合には、光拡散性の低下で光均一度が低下する。
【００２９】
以上、本発明に関する好ましい実施例を説明したが、本発明は前記実施形態に限定されるものではなく、本発明の属する技術分野を逸脱しない範囲での全ての変更が含まれる。
【符号の説明】
【００３０】
１：車両用タッチ式ボタン
１０：隠しカバー
１１：ＩＭＬフィルム
１２：スモーキーレジン射出物
２０：ＩＴＯタッチフィルム
３０：ＬＥＤ
４０：光拡散フィルム
【図１】
2020132135.tif 000006
【図２】
2020132135.tif 000007
【図３】
2020132135.tif 000008
【図４】
2020132135.tif 000009
【図５】
2020132135.tif 000010
【図６】
2020132135.tif 000011
【図７】
2020132135.tif 000012
【図８】
2020132135.tif 000013
【図９】
2020132135.tif 000014
【図１０】
2020132135.tif 000015
【図１１】
2020132135.tif 000016
【図１２】
2020132135.tif 000017
【図１３】
2020132135.tif 000018
【図１４】
2020132135.tif 000019
【図１５】
2020132135.tif 000020
【図１６】
2020132135.tif 000021
【図１７】
2020132135.tif 000022